(57)【要約】【課題】３次元形状の基材表面の任意の位置で表面意匠（色合い、色柄、絵柄等）が変化する部材の製造に際し、基材の所望位置に表皮材の意匠変化位置が精緻に位置決めされて貼り付けられた部材を製造することのできる、表皮材の貼り付け方法を提供する。【解決手段】基材Ｗの表面に表皮材Ｓを貼り付ける表皮材の貼り付け方法であって、下チャンバー２に配された磁性体６を具備する治具５上に基材Ｗを載置し、上チャンバー１と下チャンバー２を型閉めして双方のチャンバー１，２で磁性領域７を具備する表皮材Ｓを挟み込み、表皮材Ｓによって上チャンバー空間Ｋ１と下チャンバー空間Ｋ２を画成し、表皮材Ｓを加熱して軟化させた状態で、下チャンバー空間Ｋ２を真空引きし、上チャンバー空間Ｋ１を加圧することで、表皮材Ｓの磁性領域７を磁性体６に磁気吸引させて該表皮材Ｓを基材Ｗに貼り付ける。【選択図】図１
2011218637.tif 000002
【特許請求の範囲】
【請求項１】
基材の表面に表皮材を貼り付ける表皮材の貼り付け方法であって、
下チャンバーに配された磁性体を具備する治具上に基材を載置し、上チャンバーと下チャンバーを型閉めして双方のチャンバーで磁性領域を具備する表皮材を挟み込み、表皮材によって上チャンバー空間と下チャンバー空間を画成し、
表皮材を加熱して軟化させた状態で、下チャンバー空間を真空引きし、上チャンバー空間を加圧することで、表皮材の前記磁性領域を前記磁性体に磁気吸引させて該表皮材を基材に貼り付ける表皮材の貼り付け方法。
【請求項２】
前記表皮材が意匠層と粘着層からなり、該粘着層が基材に貼り付けされる、請求項１に記載の表皮材の貼り付け方法。
【請求項３】
基材と表皮材がともに相互に対応する折れ線を有する３次元形状を呈しており、
前記磁性領域と前記磁性体がそれぞれ、表皮材と治具において前記折れ線に対応する位置に配されている、請求項１または２に記載の表皮材の貼り付け方法。
【請求項４】
前記折れ線を境に表面意匠が相違している請求項３に記載の表皮材の貼り付け方法。
【発明の詳細な説明】
【技術分野】
【０００１】
本発明は、基材の表面にたとえば意匠面を具備する表皮材を貼り付ける方法に関するものである。
【背景技術】
【０００２】
樹脂や金属素材の基材表面に、着色表面や絵柄表面を備えたプラスチックフィルムやプラスチックシート等の表皮材を貼り付けるに際し、特許文献１に開示の被覆方法、装置のように、チャンバーボックスのうち、上下のチャンバーにて表皮材を把持し、この表皮材にてチャンバーボックス内を上下２つの空間に画成し、基材（ここでは中空芯材）に被覆する表皮材を加熱軟化させた状態で、下方のチャンバー空間を減圧し、上方のチャンバー空間を加圧することで、表皮材を基材に押圧して被覆する方法が知られている。
【０００３】
この方法によれば、チャンバー内で真空引きと加圧をおこなうことにより、軟化したフィルムを基材に対して良好に貼り付けることができる。より具体的には、基材の形状が特許文献１に開示のもののように平面状の場合であって、かつ表皮材が一様な意匠面からなる場合にはその効果を享受することができる。
【０００４】
しかし、基材が折れ線を有した３次元形状を有する場合や、さらに、この折れ線を境界としてその左右で絵柄や着色等の意匠が変化する場合にはその効果が十分に期待できない。なぜなら、チャンバー内で単に真空引きや加圧をおこなうだけでは、表皮材を基材表面に気泡等を介在させることなく綺麗に貼り付けることはできても、基材の折れ線の位置と軟化フィルムの意匠変化線とを一致させることは極めて困難だからであり、双方の一致は成り行きに依存せざるを得ない。
【０００５】
したがって、折れ線を有する３次元形状の基材表面に対して、この折れ線に対応する位置で意匠が変化するフィルム状の表皮材を精緻に位置決めしながら貼り付ける加工は困難である。なお、現在は、いわゆる一色べた塗り加工が適用されているが、この加工法では、絵柄等の形状を有する印刷が施された表皮材基材に対して精緻に位置決めしながらその貼り付けをおこなうことが極めて困難である。
【０００６】
なお、このように基材が折れ線を有した３次元形状を有する部材として、たとえば車室内のインパネを挙げることができる。このインパネは、その内部にオーディオ機器や冷暖房機器が内蔵されていることから、３次元的に立体形状であることは勿論のこと、その上下でインパネ表層の色合いや色柄が相違することも往々にしてある。このように、３次元形状であって、しかもその途中位置を境に表皮の色合いや色柄、絵柄等が相違する部材が現存していることに加えて、そのバリエーションは今後益々多くなることが予想されることに鑑みれば、３次元形状の基材の所望位置に表面意匠の相違する表皮材の意匠変化位置（ライン）を精緻に位置決めしながら表皮材の貼り付けをおこなうことのできる方法の開発が望まれている。
【先行技術文献】
【特許文献】
【０００７】
【特許文献１】特開２００６−７４２２号公報
【発明の概要】
【発明が解決しようとする課題】
【０００８】
本発明は、上記する問題に鑑みてなされたものであり、３次元形状の基材表面の任意の位置で表面意匠（色合い、色柄、絵柄等）が変化する部材の製造に際し、基材の所望位置に対し、表皮材の意匠変化位置（ライン）を精緻に位置決めしながらその貼り付けをおこなうことのできる、表皮材の貼り付け方法を提供することを目的とする。
【課題を解決するための手段】
【０００９】
前記目的を達成すべく、本発明による表皮材の貼り付け方法は、基材の表面に表皮材を貼り付ける表皮材の貼り付け方法であって、下チャンバーに配された磁性体を具備する治具上に基材を載置し、上チャンバーと下チャンバーを型閉めして双方のチャンバーで磁性領域を具備する表皮材を挟み込み、表皮材によって上チャンバー空間と下チャンバー空間を画成し、表皮材を加熱して軟化させた状態で、下チャンバー空間を真空引きし、上チャンバー空間を加圧することで、表皮材の前記磁性領域を前記磁性体に磁気吸引させて該表皮材を基材に貼り付けるものである。
【００１０】
本発明の表皮材の貼り付け方法は、既述する従来構造の上下チャンバーからなるチャンバーボックスを使用しながら、相互に貼り付けられる基材と表皮材のうち、表皮材に磁性領域を設けておき、基材を載置する治具にこの磁性領域を磁気吸引する磁性体を設けておき、双方が磁気吸引した状態において、基材表面の所望位置に表皮材の意匠変化位置が対応するように磁性領域および磁性体双方の位置を調整しておくことで、表皮材の意匠変化位置を基材表面の所望位置に精緻に位置決めしながら、その貼り付けを実現できるものである。
【００１１】
上下のチャンバーで表皮材を挟み込んだ状態において、上下チャンバーからなるチャンバーボックスはこの表皮材にて上下２つのチャンバー空間を画成する。湾曲面、相互に傾斜した複数の平面の組み合わせ、平面と湾曲面の組み合わせなどからなる３次元形状を呈する基材を、上下チャンバーの型閉め前に下チャンバーに設けられた治具に固定する。
【００１２】
この治具は、シリンダ機構等によって昇降自在となっているのが好ましく、治具に基材を載置した姿勢でこれが上昇し、上下チャンバーにて把持された表皮材近傍までアクセスし、表皮材と基材が当接する位置で、もしくは所望の離間位置で治具が停止するようになっている。
【００１３】
表皮材にて２つの空間に画成された一方の上チャンバー空間には加圧流体を該空間内に通流させる各種手段（コンプレッサ、配管系など）が流体連通しており、他方の下チャンバー空間には該空間内を真空引きする各種手段（吸引ポンプ、配管系など）が同様に流体連通している。さらに、上下チャンバーのいずれか一方には加熱手段が設けてあり、双方のチャンバーを型閉めした姿勢において表皮材を加熱軟化できるようになっている。
【００１４】
３次元形状の基材に対して表皮材を貼り付けるに際し、基材のうち、下チャンバー側に回り込んだ領域にも空隙等なく表皮材を回り込ませて貼り付けるには、下方チャンバー空間からの真空引きに加えて、上方チャンバー空間を加圧し、基材に対して表皮材の上方から押し込む力を付与するのが好ましい。
【００１５】
そこで、表皮材を加熱軟化させた状態で、下方チャンバー内を真空引きしながら、これと同時に上方チャンバー内を加圧することにより、基材に対して空隙のない状態で表皮材を綺麗に貼り付けることができる。
【００１６】
ここで、本発明においては、治具に設けられた磁性体と相互に磁気吸引する磁性領域をこの表皮材の内部に設けておくものであり、真空吸引と加圧によって表皮材が基材に貼り付く際に、治具の磁性体と表皮材の磁性領域が相互に磁気吸引することにより、治具に載置された基材の所望位置と表皮材の所望位置（意匠変化ライン等）を精緻に位置決めしながら、表皮材の貼り付けを実施することができる。
【００１７】
また、基材の内部ではなくて治具側に磁性体が配されていることから、多数の表皮材の貼り付けに際して磁性体を具備する一つの治具を使用することができ、基材と表皮材の双方に磁石等の磁気吸引手段を設ける場合に比して製造コストを大幅に抑制することができる。
【００１８】
ここで、治具に設けられる磁性体として強磁性〜軟磁性の磁石を挙げることができる。また、表皮材に設けられる磁性領域の形成方法の一例として、ベースとなる樹脂フィルム上の所望位置に磁粉入りの樹脂インクを塗工しておき、他の領域は磁粉を含まない通常の樹脂インクを塗工することで、所望位置に磁性領域を具備するフィルム状の表皮材を形成することができる。
【００１９】
また、意匠層と粘着層から構成される表皮材を使用することもでき、この形態においては、粘着層が基材に直接的に貼り付けられるようになっている。この表皮材によれば、基材と接着される粘着層の可撓性（変形性）によって接着界面での応力等は粘着層内で吸収され、表層の意匠層に基材との接着界面の影響が付与され難く、初期の表面意匠を保証することができる。
【００２０】
また、基材と表皮材からなる３次元形状の製品形態に関し、基材と表皮材がともに相互に対応する折れ線を有する３次元形状を呈しており、磁性領域と磁性体がそれぞれ、表皮材と治具において折れ線に対応する位置に配されている形態を挙げることができる。
【００２１】
平面とこれに対して傾斜する平面との境界を成す折れ線、平面と湾曲面の境界を成す折れ線、曲率の異なる湾曲面の境界を成す折れ線など、３次元形状では複数の折れ線が存在するのが一般的であり、また、製品意匠性の観点からも、この折れ線を意匠変化位置とするのが好ましい。
【００２２】
そこで、磁性領域と磁性体が表皮材と治具それぞれの折れ線に対応する位置に配され、基材が治具と相補的な形状を呈してこれに載置されていることにより、この折れ線にて双方を磁気吸引しながら、その左右もしくは上下で相違する意匠面を具備する表皮材の意匠変化位置を基材の折れ線に対応させながら、その貼り付けをおこなうことが可能となる。
【発明の効果】
【００２３】
以上の説明から理解できるように、本発明の表皮材の貼り付け方法によれば、３次元形状の基材表面の任意の位置で色合い、色柄、絵柄等の表面意匠が変化する部材の製造に際し、基材の所望位置に表皮材の意匠変化位置が精緻に位置決めされて貼り付けられた部材を製造することができる。
【図面の簡単な説明】
【００２４】
【図１】本発明の貼り付け方法で適用されるチャンバーボックスにおいて、上チャンバーと下チャンバーが型開きした状態を説明した模式図である。
【図２】表皮材を拡大してその構成を説明した模式図である。
【図３】上チャンバーと下チャンバーが型閉めされて表皮材を挟み込み、加熱と真空引きと加圧を実施している状態を説明した模式図である。
【図４】基材表面に表皮材が貼り付けられた状態を説明した模式図である。
【発明を実施するための形態】
【００２５】
以下、図面を参照して本発明の表皮材の貼り付け方法を説明する。なお、図示する基材は、相互に傾斜した複数の平面から構成される３次元形状を呈するものであるが、図示例以外にも、複数の曲率の異なる湾曲面の組み合わせ、平面と湾曲面の組み合わせ、などからなる任意の３次元形状を呈する形態であってもよいことは勿論のことである。
【００２６】
図１は、本発明の貼り付け方法で適用されるチャンバーボックスにおいて、上チャンバーと下チャンバーが型開きした状態を説明した模式図であり、図２は、表皮材を拡大してその構成を説明した模式図である。
【００２７】
図示するチャンバーボックスは、シリンダ装置３にて昇降自在（Ｘ１方向）な上チャンバー１と、別途の昇降装置４にて昇降自在な治具５を内部に具備する下チャンバー２と、から大略構成されている。
【００２８】
上チャンバー１は、その内部に加熱ヒータ１１を内蔵しており、上下チャンバーが型閉めされた状態で加熱ヒータ１１が稼動し、上下チャンバーにて挟み込んだ表皮材Ｓを所望に軟化できるようになっている。なお、この加熱ヒータは下チャンバー２に内蔵されるものであってもよい。
【００２９】
また、上チャンバー１には、圧縮エア等の加圧流体を上チャンバー１の内部に通流させる配管系１２およびコンプレッサ１３（もしくは圧力ポンプ）が流体連通している。
【００３０】
一方、下チャンバー２には、下チャンバー２の内部を真空引きする配管系２１と吸引ポンプ２２が流体連通している。
【００３１】
表皮材Ｓが貼り付けられる基材Ｗは、中央の平面Ｗ１，その両側で傾斜して立ち上がる平面Ｗ２，Ｗ３、さらにこの平面Ｗ２，Ｗ３から傾斜して寝た姿勢を成す平面Ｗ４，Ｗ５から構成されており、これらが平面的に広がった３次元立体形状を成している。
【００３２】
また、上記基材Ｗにおいて、平面Ｗ１と平面Ｗ２，Ｗ３の境界には折れ線ｍ１、ｍ２が形成されており、平面Ｗ２、Ｗ４と平面Ｗ３，Ｗ５それぞれの境界には折れ線ｍ３、ｍ４が形成されている。
【００３３】
治具５と基材Ｗの形状は相補的であり、表皮材Ｓの貼り付け対象である基材Ｗの３次元形状に応じて治具５の形状、特にその載置面形状が形成されている。したがって、図示例以外の治具および基材の組み合わせにおいても、同様に双方が相補的な形状を有するのがよい。
【００３４】
そして、基材Ｗを載置した際に、その各折れ線ｍ１〜ｍ４に対応する位置には、磁性体である磁石６が埋設されている。なお、この磁石６の磁力は、表皮材Ｓの貼り付けの際にこの表皮材Ｓの内部に配された対応する磁性領域を磁気吸引できるだけの磁力を具備していればよく、表皮材Ｓの平面寸法との関係で、隣接する磁性領域をも磁気吸引しない程度の磁力であればよい。
【００３５】
基材Ｗに対し、これに貼り付けられる表皮材Ｓは、図２で示す２層構造を呈している。具体的には、基材Ｗに直接接着される粘着層Ｓ２と、色合いや色柄、絵柄等が相互に異なる意匠領域Ｓ１ａ〜Ｓ１ｅからなる意匠層Ｓ１と、から構成されており、各意匠領域Ｓ１ａ、Ｓ１ｂの間、意匠領域Ｓ１ｂ、Ｓ１ｃの間、意匠領域Ｓ１ｃ，Ｓ１ｄの間、意匠領域Ｓ１ｄ、Ｓ１ｅの間には、磁性領域７，…が設けられている。この粘着層Ｓ２，意匠層Ｓ１ともに樹脂製のフィルムからなり、たとえば粘着層Ｓ２を予め形成しておき、この上に意匠層Ｓ１用の樹脂が塗工されて表皮材Ｓの全体が形成される。
【００３６】
そして、この加工に際し、意匠層Ｓ１と粘着層Ｓ２の間に介在する磁性領域７は、磁性粉を含有する樹脂インクを粘着層Ｓ２表面に塗布し、これを乾燥させる（塗工）ことで形成することができる。ここで、磁性領域７を形成後に意匠領域Ｓ１ａ〜Ｓ１ｅ用の樹脂インクを塗工してもよいし、磁性領域７用の樹脂インクの塗布に次いで意匠領域Ｓ１ａ〜Ｓ１ｅ用の樹脂インクを塗布し、全体を一度に乾燥させてもよい。
【００３７】
また、各磁性領域７は、表皮材Ｗにおいて、これが基材Ｗの表面に貼り付けられる際に治具５の折れ線に配設された各磁性体６に対応する位置に設けてある。
【００３８】
図１に戻り、下チャンバー２の内部に配された治具５に基材Ｗを載置し、下チャンバー２の上端に表皮材Ｓを載置した後に、図３で示すように、シリンダ装置３を稼動させて上チャンバー１を降下させ（Ｘ１’方向）、上下のチャンバー１，２で表皮材Ｓを挟み込む。
【００３９】
上下のチャンバー１，２を型閉めすることにより、上チャンバー１と挟持された表皮材Ｓとで上チャンバー空間Ｋ１が画成され、同様に、下チャンバー２と表皮材Ｓとで下チャンバー空間Ｋ２が画成される。
【００４０】
上下のチャンバー空間Ｋ１，Ｋ２が画成されたら、シリンダ装置４を稼動させて治具５を上昇させ（Ｘ２’方向）、基材Ｗと表皮材Ｓを所望距離だけ離した姿勢を形成する。次いで、上チャンバー１内の加熱ヒータ１１を稼動させて（熱流れ：Ｙ３）、表皮材Ｓを加熱軟化させる。表皮材Ｓが所望に加熱軟化した段階で、コンプレッサ１３を稼動させて圧力エアを上チャンバー空間Ｋ１に提供して内部を加圧し（Ｙ１方向）、これと同時に、吸引ポンプ２２を稼動させて下チャンバー空間Ｋ２を真空引きし（Ｙ２方向）、その内部を真空雰囲気とする。
【００４１】
下チャンバー空間Ｋ２の真空引きと上チャンバー空間Ｋ１の加圧により、表皮材Ｓは、図４で示すように、その上方から分布荷重Ｐ１で基材Ｗ側へ押し込まれるとともに、その下方から分布荷重Ｐ２で基材Ｗ側へ引き込まれる。なお、図４は、基材Ｗおよび表皮材Ｓの右側を拡大して双方の貼り付け状態を模擬したものである。
【００４２】
そして、この上下からの押し込みと引き込みの際に、表皮材Ｓ中の各磁性領域７がそれぞれに対応する治具５の磁性体６に磁気吸引される（Ｚ１方向）
【００４３】
この磁気吸引により、意匠領域Ｓ１ｃ，Ｓ１ｄの境界線Ｌ１が基材Ｗの折れ線ｍ２に精緻に位置決めされ、同様に、意匠領域Ｓ１ｄ，Ｓ１ｅの境界線Ｌ２が基材Ｗの折れ線ｍ４に精緻に位置決めされる。
【００４４】
このようにして、各意匠変化ラインと基材の折れ線が精緻に位置決めされた状態で、基材Ｗの表面に表皮材Ｓが貼り付けられることになる。
【００４５】
なお、図示例以外のチャンバー形態として、上チャンバーからの加圧を廃した構成、すなわち、下チャンバー空間からの真空引きのみで表皮材を基材表面に貼り付けるチャンバーボックスを使用して表皮材の貼り付けをおこなう方法であってもよい。尤も、図４で示すように、基材Ｗの端部下方まで表皮材Ｓを回り込ませて貼り付ける場合には、下チャンバーからの真空引きに加えて上チャンバーから加圧するのが望ましく、端部の回りこみ領域をも含めた基材の全領域に対する貼り付け品質に優れた製品を得ることができる。
【００４６】
上記する本発明の表皮材の貼り付け方法は、従来のチャンバーボックスに軽微な改良を加え、治具に磁性体を配するとともに表皮材の対応位置にも磁性領域を設けたことで、３次元立体形状を有し、しかも表皮材の表面意匠が変化する部材に対し、基材の折れ線等の所望位置に表皮材の表面意匠変化ラインを精緻に位置決めしながら、その貼り付けをおこなうことができる。
【００４７】
さらに、基材内部でなく、治具側に磁性体を配したことで、基材および表皮材双方に磁性領域を設ける場合に比してその製造コストを安価とできる。
【００４８】
以上、本発明の実施の形態を図面を用いて詳述してきたが、具体的な構成はこの実施形態に限定されるものではなく、本発明の要旨を逸脱しない範囲における設計変更等があっても、それらは本発明に含まれるものである。
【符号の説明】
【００４９】
１…上チャンバー、１１…加熱ヒータ、１３…コンプレッサ、２…下チャンバー、２２…吸引ポンプ、３，４…シリンダ装置、５…治具、６…磁性体、７…磁性領域、Ｋ１…上チャンバー空間、Ｋ２…下チャンバー空間、Ｗ…基材、Ｓ…表皮材、Ｓ１…意匠層、Ｓ２…粘着層
【図１】
2011218637.tif 000003
【図２】
2011218637.tif 000004
【図３】
2011218637.tif 000005
【図４】
2011218637.tif 000006